(57)【要約】【課題】つかみ持ちの状態で把持するユーザの操作性を向上できるマウス装置を提供する。【解決手段】マウス装置１であって、薬指または小指によって押圧され、押圧時には手根部側に押圧力を伝達する押圧面２２を、その外装１０に設けたものである。【選択図】図２
0003215538.tif 000002
【実用新案登録請求の範囲】
【請求項１】
薬指または小指によって押圧され、押圧時には手根部側に押圧力を伝達する押圧面を、その外装に設けたマウス装置。
【請求項２】
薬指または小指によって押圧される押圧面を外装の側面側に設けたマウスであって、当該押圧面は、その法線が、外装の手根部が当接する方向に向かう線分となる部分を有するマウス装置。
【請求項３】
請求項１または２に記載のマウス装置であって、
外装上面に、前記手根部に当接する当接部を有するマウス装置。
【請求項４】
請求項３に記載のマウス装置であって、
前記当接部は、前記手根部の母指球と小指球との少なくとも一方に当接する、少なくとも一つの指球当接部を有する。
【請求項５】
請求項３または４に記載のマウスであって、
前記当接部は、母指球と小指球との間に挟まれる挟持部をさらに有する。
【考案の詳細な説明】
【技術分野】
【０００１】
本考案は、コンピュータ等の電子機器に接続されるマウス装置に関する。
【背景技術】
【０００２】
ポインティングデバイスの一つとして広く使用されているマウス装置は、操作者によって種々の把持の形態があることが知られている。すなわち、
（１）マウス装置の外装上面に手の平を接触させるとともに、親指と、薬指（または小指）とをマウス側面に接触させる、いわゆる「かぶせ持ち（Palm Grip）」、
（２）指先だけがマウス装置に触れた状態で、マウス装置を操作する「つまみ持ち（Fingertip Grip）」、
（３）手の平の一部、手根部側がマウス装置の後部に触れた状態で、マウス装置を側面から親指と薬指（または小指）とで挟んで持つ、「つかみ持ち（Claw Grip）」、
などといった把持方法があり、それぞれの把持方法に応じて、使いやすいマウス装置の形状等は異なる。
【先行技術文献】
【特許文献】
【０００３】
【特許文献１】特開２００２−１４７６７号公報
【考案の概要】
【考案が解決しようとする課題】
【０００４】
近年、多くのマウス装置は、外装上面が手の平に接触する状態となるよう、山型に隆起した形状をなす。これにより、ユーザがマウス装置をかぶせ持ちの状態で把持したときには、例えば手前側に引く操作を行う際に、手の平がマウス装置上面の隆起に係り、比較的軽い力で手前側に引くことが可能となっている。
【０００５】
またマウス操作ではマウス装置を一時的に持ち上げる必要もあるので、従来一般的なマウス装置の外装の左右の側面はそれぞれ、ユーザがマウス装置を把持したときに、親指と薬指とで左右から挟んで操作できるようにしている。
【０００６】
しかしながらこのようなマウス装置では、手の平がマウス装置上面に接していない状態で把持する、つかみ持ちのユーザにとっては、例えば手前側に引く操作などでもマウス装置の左右両側面をそれぞれ親指と薬指とで挟んで持った状態で操作を行うこととなり、手の平を利用して操作を行う場合に比べて強い力が入った状態で操作をすることとなる。すなわち、かぶせ持ちに対し、つかみ持ちや、つまみ持ちを場合、マウス装置と手との接触面積が小さく、同じ力をマウス装置に伝達する場合であっても、接触している部分の単位面積あたりにかけるべき荷重が大きくなる。従って、マウス装置を操作する場合に、かぶせ持ちをする場合よりも、つかみ持ちなどで把持する場合、より大きい力が必要になり、マウス装置の操作性が低下する。
【０００７】
なお、特許文献１に開示のマウス装置は、側面側に、薬指や小指を載せる部分を設け、手の平をマウス装置の上面に置いて操作する際に、指の力を抜いて操作を行うことを可能としているが、このようにかぶせ持ちで把持されることを前提とした、特許文献１等に開示のマウス装置で、手の平と指とを、筐体の上面に置いて操作を行う形状とすると、マウス装置の筐体全体（平面視での大きさ）が大きくなって、かぶせ持ち以外の把持方法で操作する場合に、より力が必要となっている。
【０００８】
このように、つかみ持ちやつまみ持ちを行う場合、マウス装置を持ち上げるときと同様に、両側から挟みこんで掴むための力と、その状態で移動操作を行うための力との双方が必要となり、マウス装置が大型になると、操作のために必要な力がより大きくなってしまい、さらに操作性が低くなってしまう。
【０００９】
本考案は上記実情に鑑みて為されたもので、つかみ持ち、あるいは、つまみ持ちの状態で把持するユーザの操作性も向上できるマウス装置を提供することを、その目的の一つとする。
【課題を解決するための手段】
【００１０】
上記従来例の問題点を解決する本考案は、マウス装置であって、薬指または小指によって押圧され、押圧時には手根部側に押圧力を伝達する押圧面を、その外装に設けたものである。
【００１１】
この、薬指または小指が係り合う押圧面を、マウス装置の外装に設けたことで、つかみ持ちやつまみ持ちの状態でマウス装置を把持するユーザが、例えばこのマウス装置を手前側に引く操作を行う際には、薬指または小指で押圧面を手前側に押圧する（移動方向に力を加える）ことで、マウス装置を手前側に引き寄せることができる。
【００１２】
また本考案の一態様は、薬指または小指によって押圧される押圧面を外装の側面側に設けたマウスであって、当該押圧面は、その法線が、外装の手根部が当接する方向に向かう線分となる部分を有することとした。
【００１３】
これにより、つかみ持ちの状態でマウス装置を把持するユーザが、例えばこのマウス装置を手前側に引く操作を行う際に、薬指または小指で押圧面を手前側に押圧す（移動方向に力を加え）れば、法線が手根部の当接する方向に向かう線分となっていることで、押圧面が押圧されたときに、手根部側に押圧力が伝達され、マウス装置を手前側に引き寄せることができる。
【００１４】
また外装上面に、前記手根部に当接する当接部を有することとしてもよい。このようにすると、押圧面に配したユーザの指と、当接部に当接する手根部とで安定してマウス装置を把持可能となる。
【００１５】
さらに本考案の一態様では、当接部は、前記手根部の母指球と小指球との少なくとも一方に当接する、少なくとも一つの指球当接部を有してもよい。また、前記当接部は、母指球と小指球との間に挟まれる挟持部をさらに有してもよい。
【考案の効果】
【００１６】
本考案によると、つかみ持ちやつまみ持ちの状態で把持するユーザでも、比較的小さい力で操作できるマウス装置が提供される。
【図面の簡単な説明】
【００１７】
【図１】本考案の実施の形態に係るマウス装置の概略の分解斜視図である。
【図２】本考案の実施の形態に係るマウス装置の平面図である。
【図３】本考案の実施の形態に係るマウス装置の正面図である。
【図４】本考案の実施の形態に係るマウス装置の側面図である。
【考案を実施するための形態】
【００１８】
本考案の実施の形態について図面を参照しながら説明する。なお、以下の説明において各部の大きさやその比、配置等は一例であり、本実施の形態の例は、図示等した大きさや比率、配置に限られるものではない。
【００１９】
図１は本実施の形態のマウス装置１の概略の分解斜視図であり、図２は本実施の形態のマウス装置１の平面図である。また図３は本実施の形態のマウス装置１の正面図であり、図４は本実施の形態のマウス装置１の側面図である。本考案に係るマウス装置１は、図１に例示するように、内部に回路部Ｃを内蔵するマウス外装１０を含んで構成される。
【００２０】
この回路部Ｃは、ユーザによるマウス装置１の移動操作（マウス装置１の底面側を机上等の面に接触させた状態で前後左右に移動する操作）や、ボタン部Ｂ等の押下操作等を受け入れ、当該操作の内容を表す情報を生成して、このマウス装置１に接続されているパーソナルコンピュータ等の情報処理装置（不図示）に対して当該情報を送出する。この情報の送出は例えば無線で行うことができるが、有線にて接続する場合は、マウス装置１の正面側から配線を導出して、情報処理装置等に接続するようにすればよい。このような回路部Ｃの動作は、広く知られているので、ここでの詳しい説明は省略する。
【００２１】
本実施の形態において、マウス外装１０は、やや浅型に形成された下側ハウジング１１と、比較的深型に形成された上側ハウジング１２とを含んで構成される。もっともこれは一例であり、マウス外装１０は上下のハウジングに分割可能でなくてもよい。さらにここでのマウス外装１０は、回路部Ｃを保護するマウスの筐体の外側に取り付けられた部品（外装部品）も含んでもよい。
【００２２】
本実施の形態の一例では、下側ハウジング１１に回路部Ｃが固定される。また、上側ハウジング１２の周縁部と下側ハウジング１１の周縁部とは同一の形状をなし、これらの周縁部を互いに係合させて、下側ハウジング１１上の回路部Ｃを覆うように固定した状態とすることで、マウス外装１０を形成する。
【００２３】
また、上側ハウジング１２の前方側（マウス装置１を操作するユーザから見て、ユーザの身体から遠い側；正面側）Ｆであって、ユーザがマウス装置１を把持したときに、ユーザの人差指や中指が到達する範囲は、少なくとも一ヶ所が下方に押下可能に形成されており、ボタン部Ｂとなっている。このボタン部Ｂは、ユーザの押下操作を受け入れる。以下の例では、このボタン部Ｂが２つ設けられているものとして説明するが、本実施の形態においてボタン部Ｂの数は、必ずしもこの数に限られるものではない。また、ボタン部Ｂ以外にも、回転操作可能なホイールを、ボタン部Ｂとともに、ユーザがマウス装置１を把持したときに、ユーザの人差指や中指が到達する範囲に配してもよい。この場合、上側ハウジング１２の一部に開口を形成して、ホイールの一部をこの開口を通じて露出させる。
【００２４】
本実施の形態において特徴的なことの一つは、このマウス外装１０（下側ハウジング１１及び上側ハウジング１２の双方）において、図２に示すように、その側面２０（右利き用であれば右側面、左利き用であれば左側面、なお、図及び以下の説明では右利き用について説明するが、左利き用については左右を入れ替えればよい）に、平面視で側面外方に盛り上がる突出部分２１が形成されていることである。
【００２５】
この突出部分２１の、マウス装置１の前方側は実質的に鉛直な面（以下、この面を押圧面２２と呼ぶ）となっており、その法線がユーザの手根部に当接する範囲に向かう線分となる部分を有する。すなわち、この押圧面２２は、平面視（マウス装置１を平面視したとき）では、マウス外装１０のうち、ユーザの手根部に当接する当接範囲２３内の所定位置Ｐから放射状に引いた線分を法線とする部分を有する面である。ここで所定位置Ｐは、平均的な手の大きさの複数のユーザがマウス装置１をそれぞれ把持したときに、各ユーザの手根部が接触する範囲の重心の平均などとして実験的に定めればよい。または、この所定位置Ｐは、マウス装置１を平面視したときの後端側（マウス装置１を操作するユーザから見て、ユーザの身体に近い側）Ｎの周縁部の中心点としてもよい。
【００２６】
このように押圧面２２が形成されることで、この押圧面２２を薬指または小指の指先（例えば第一関節（最も遠位側の関節）より先端側）によって押圧したとき、ユーザの手の手根部側にその押圧力が伝達される。
【００２７】
また図３に例示するように、本実施の形態の例では、上側ハウジング１２は、かぶせ持ちにより把持するユーザが把持したときでも、手の平の形に沿うよう、上面側がボタン部Ｂの配置される範囲から薬指・小指が配される押圧面２２の方向に向かってなだらかに低くなるよう傾斜して形成された状態にある。
【００２８】
なお、この傾斜した部分には、かぶせ持ちの際に薬指をその上部に置くことができるよう、凹部を形成し、階段状の面としてもよい。この凹部は、いわゆるつかみ持ちの際に押圧面２２に小指だけを接する状態で把持したとき、薬指を配する位置として機能する。またこの凹部はかぶせ持ちをしたときには、薬指や小指を配する位置として機能する。
【００２９】
本実施の形態のマウス装置１を、ユーザが例えばいわゆるつかみ持ちの状態で把持すると、図２から図４に例示するように、マウス装置１のマウス外装１０の上面のうち、後端側Ｎに近い部分には、ユーザの手根部が当接した状態となる。ここで手根部は具体的には、ユーザの手の平の母指球Ｓ，小指球Ｅを含み、母指球Ｓから小指球Ｅに亘る範囲に相当する。なお、図４は、押圧面２２を設ける側の側面から見た側面図であり、図４の例では右利き用の場合（右側面から見た右側面図）となっている。
【００３０】
またこのとき、ユーザの手の親指は左側側面に触れ、人差指と中指とをボタン部Ｂ上にそれぞれ配した状態としたとき、薬指と小指とがマウス外装１０の右側側面に設けられた押圧面２２にはその腹（指の腹）が接触した状態となる。ここで親指の指の腹の向きは実質的に右方向（左利き用マウス装置では左方向）であり、薬指と小指とは押圧面２２に係り、押圧面の法線方向が指の腹の向きとなるので、ユーザはこのマウス装置１を、両側面側から力を加えて挟持するときには、親指の腹と薬指（または小指）の側面とで挟持し、手前側に引く操作を行うときには、薬指や小指の腹で押圧面２２に力を加えることで、上記ユーザの手根部に当接する当接範囲２３内の所定位置Ｐ方向への力を自然に加えることが可能となっている。
【００３１】
さらにこの状態では、押圧面２２を押圧する薬指や小指と、当接範囲２３に接触する手根部とによってマウス装置１が前後から挟まれる状態となるので、マウス装置１を安定的に把持可能となる。
【００３２】
［当接部］
また本実施の形態のマウス装置１は、マウス外装１０の上面であって、ユーザがつかみ持ちの状態で把持したとき、ユーザの手の手根部（ユーザの手の平の母指球から小指球に亘る範囲）の指球が当接する指球当接部としての当接範囲２３のうち、少なくとも一部を、他の部分より隆起させて挟持部として形成してもよい。
【００３３】
本実施の形態の一例では、図２，図４に例示されるように、ユーザがつかみ持ちの状態で把持したとき、ユーザの手の平の母指球が当接する部分と、小指球が当接する部分（マウス装置１の後端）との間の部分Ｒを隆起させ、挟持部として形成した状態とする。なお、ユーザがかぶせ持ちの状態で把持したときにユーザの手の平の母指球が当接する部分と、小指球が当接する部分との間の部分（マウス装置１の上面の後端側の所定範囲）Ｒ′も隆起させてもよい。これらの部分Ｒ，Ｒ′は一体的な隆起として形成されてもよい。
【００３４】
図４では、部分Ｒ，Ｒ′の隆起をやや誇張して図示しているが、他の部分に比べて隆起されていれば、外見上視認できるほどの隆起である必要はない。
【００３５】
［押圧部の形状］
また、本実施の形態において押圧部２２は、平面視において手前側にやや凹となる凹面状の形状をなしてもよい。すなわち、押圧部２２の外側、薬指または小指がかかる位置の外側で、平面視でマウス装置１の前方（正面側）に向かって隆起した形状をなしてもよい。これにより、ユーザの薬指または小指がこの凹圧面によりよくホールドされた状態となる。
【００３６】
［実施形態の効果］
本実施の形態のマウス装置１では、つかみ持ちやつまみ持ちによって把持するユーザによって把持されたとき、当該ユーザの薬指と小指とが自然に押圧面２２を押圧する位置に配され、手前側に力を加える必要がある操作の場合に、薬指や小指と、親指とで側面から押さえて持ち上げるような力を加えることなく、薬指や小指で押圧面２２を押圧することで、比較的軽い力で手前側への力を加えることができ、また、これにより力の加減が調整しやすくなるので、操作性が向上する。
【００３７】
さらに、つかみ持ちの状態では、押圧面２２を押圧する薬指や小指と、マウス外装１０の当接範囲２３に接触する手根部とによってマウス装置１が前後から挟まれる状態となって、マウス装置１を安定的に把持可能となり、操作性を向上している。
【００３８】
さらに本実施の形態では、指球当接部である当接範囲２３を設けることで、つかみ持ちの状態であれば、親指が側面から一時的に離れても、母指球と、薬指または小指とで挟むように力を加えられるのでマウス装置１を安定して把持でき、また薬指や小指を押圧面２２から離した状態であっても、小指球と親指とで挟むように力を加えることができ、マウス装置１を安定して把持可能となっている。
【符号の説明】
【００３９】
１  マウス装置、１０  マウス外装、１１  下側ハウジング、１２  上側ハウジング、２０  側面、２１  突出部分、２２  押圧面、２３  当接範囲。
【図１】
0003215538.tif 000003
【図２】
0003215538.tif 000004
【図３】
0003215538.tif 000005
【図４】
0003215538.tif 000006